(57)【要約】【課題】より安全に汚染廃棄物を保管することができる汚染廃棄物保管容器を提供する。【解決手段】汚染廃棄物２を収容するコンクリート容器３と、汚染廃棄物２の外面を覆う遮水シート５により形成された遮水層４とを備える汚染廃棄物保管容器１であって、汚染廃棄物２の上面または側面に配設された遮水シート５の少なくとも一部に通気構造を備えている。このような通気構造としては、通気性を備えた遮水シート５を配置することや遮水層４の上面または側面を貫通した排気管を配置することにより構成すればよい。【選択図】図１
0003175667.tif 000002
【実用新案登録請求の範囲】
【請求項１】
汚染廃棄物を収容するコンクリート容器と、
前記汚染廃棄物の外面を覆う遮水シートにより形成された遮水層と、を備える汚染廃棄物保管容器であって、
前記汚染廃棄物の上面または側面に配設された遮水シートの少なくとも一部に通気構造を備えていることを特徴とする、汚染廃棄物保管容器。
【請求項２】
前記通気構造が、通気性を備える遮水シートを配設することにより構成されていることを特徴とする、請求項１に記載の汚染廃棄物保管容器。
【請求項３】
前記通気構造が、前記遮水層の上面または側面を貫通した排気管であることを特徴とする、請求項１に記載の汚染廃棄物保管容器。
【考案の詳細な説明】
【技術分野】
【０００１】
本考案は、汚染廃棄物保管容器に関する。
【背景技術】
【０００２】
除染を目的として、放射性物質を含む土壌を剥ぎ取ったり、放射性物質が検出された草木を伐採したりする場合がある。
また、下水道汚泥や焼却灰等から放射性物質が検出された場合には、放射性物質を含む下水道汚泥や焼却灰等を一般の焼却灰等と区別して保管する必要がある。
【０００３】
このような放射性物質を含む土壌、除草、間伐材、焼却灰、下水道汚泥等（以下、単に「汚染廃棄物」という）は、最終処分場に輸送されるまでの一定期間、遮蔽性の高い保管容器に仮置きするのが一般的である。
【０００４】
保管容器では、金属製やコンクリート製の容器に汚染廃棄物を貯蔵することで、放射線量の遮蔽化を図っている。
【０００５】
本出願人等は、汚染廃棄物を遮水シートにより密閉するとともに、プレキャスト製コンクリート部材により構成された容器内に保管する保管方法を開発した。
汚染廃棄物を遮水シートにより密閉することで、雨水や地下水等の浸透および放射性物質の外部流出を防止することができる。
【０００６】
ところが、汚染廃棄物が下水道汚泥や除草等のように有機物を多く含んでいる場合には、有機物の発酵や分解により、保管中に可燃性のメタンガスが発生する場合がある。
遮水シート内にメタンガスが充満していると、何らかの原因により引火するおそれがある。
【考案の概要】
【考案が解決しようとする課題】
【０００７】
本考案は、前記の問題点を解決することを目的とするものであり、より安全に汚染廃棄物を保管することができる汚染廃棄物保管容器を提供することを課題とする。
【課題を解決するための手段】
【０００８】
前記課題を解決するために、本考案の汚染廃棄物保管容器は、汚染廃棄物を収容するコンクリート容器と、前記汚染廃棄物の外面を覆う遮水シートにより形成された遮水層とを備えるものであって、遮水層の上面または側面の少なくとも一部に通気構造を備えていることを特徴としている。
【０００９】
このような通気構造は、通気性を備えた遮水シート（水分の浸透を防止しつつ通気性を備えた通気性遮水シートや開口部が形成された遮水シート等）を配設することにより構成してもよい。また、上面に配設された遮水シートを、汚染廃棄物を密封することなく上載することにより隙間による排気路を形成してもよい。さらに、遮水層の上面または側面を貫通した排気管を配設することにより構成してもよい。
【００１０】
かかる汚染廃棄物保管容器によれば、遮水層の少なくとも一部に通気構造を備えているため、汚染廃棄物が有機物を含有することによりメタンガスが発生した場合であっても、遮水層内においてメタンガスが充満することがなく、安全に汚染廃棄物を保管することができる。
メタンガスが充満することがないため、長期間にわたって汚染廃棄物を保管しても、安全性が確保される。
【考案の効果】
【００１１】
本考案の汚染廃棄物保管容器によれば、より安全に汚染廃棄物を保管することが可能である。
【図面の簡単な説明】
【００１２】
【図１】本考案の実施形態に係る汚染廃棄物保管容器を示す斜視図である。
【図２】第一の実施形態に係る汚染廃棄物保管容器の概要を示す断面図である。
【図３】第二の実施形態に係る汚染廃棄物保管容器の概要を示す断面図である。
【図４】第三の実施形態に係る汚染廃棄物保管容器の概要を示す断面図である。
【図５】第四の実施形態に係る汚染廃棄物保管容器の概要を示す断面図である。
【考案を実施するための形態】
【００１３】
＜第一の実施形態＞
第一の実施形態に係る汚染廃棄物保管容器１は、図１および図２に示すように、汚染廃棄物２を収容するコンクリート容器３と、汚染廃棄物２の外面を覆う遮水シート５により形成された遮水層４とを備えている。
【００１４】
汚染廃棄物２は、放射性物質を含有する下水道汚泥、焼却灰、土砂、除草等であって、大型の土のう袋等に袋詰めされている。
なお、汚染廃棄物２は、必ずしも土のう袋に袋詰めされている必要はなく、他の容器（例えば、箱や袋等）に収容されていてもよいし、直接遮水シート５により覆われていてもよい。
【００１５】
コンクリート容器３は、図２に示すように、底部を覆う底版３１と、側面を覆う側壁３２と、上面を覆う蓋３３とを備えており、汚染廃棄物２を収容した状態で密封することが可能となるように、箱型に形成されている。
【００１６】
本実施形態では、プレキャストコンクリート製のＬ型擁壁を並設することにより、コンクリート容器３の底版３１と側壁３２とを形成している。
なお、コンクリート容器３の底版３１および側壁３２を形成するプレキャストコンクリート部材は、Ｌ型擁壁に限定されるものではなく、例えば、プレキャスト製の床版と壁部材とを組み合わせることにより構成してもよい。また、底版３１および側壁３２は、現場打ちコンクリートにより形成してもよい。
【００１７】
蓋３３は、図１に示すように、複数の板状の蓋部材を側壁３２，３２の上端に横架させることにより形成されている。なお、蓋３３は、一枚の板材を配置することにより形成してもよいし、現場打ちコンクリートにより形成してもよい。
【００１８】
遮水層４は、図２に示すように、汚染廃棄物２の外周を密閉した状態で覆っている。
本実施形態では、汚染廃棄物２の下方、側方および上方に複数の遮水シート５，５，…を配設し、これらの遮水シート５，５同士を溶着することにより遮水層４を形成している。
【００１９】
本実施形態では、汚染廃棄物２の上面に配設された遮水シート５として、水分の浸透を防止しつつ通気性を備えた通気性遮水シート５１を使用している。
なお、通気性遮水シート５１は、汚染廃棄物２の側面に配設されていてもよいし、上面または側面の一部を通気性遮水シート５１により構成してもよい。さらに、汚染廃棄物２の全体を通気性遮水シート５１により覆うことで遮水層４を形成してもよい。
【００２０】
本実施形態では、通気性遮水シート５１として、ポリエチレン製不織布等からなる透湿防水シートを使用する。なお、通気性遮水シート５１の材質は限定されない。
遮水層４の上面以外（側面および底面）を構成する遮水シート５を構成する材料は、水分の浸透を防止するものであれば限定されるものではなく、例えば高密度ポリエチレンシート等を使用すればよい。  
【００２１】
汚染廃棄物保管容器１は、まず、整地された地盤上に複数のＬ型擁壁を配置することによりコンクリート容器３の底版３１と側壁３２を構築する。
次に、コンクリート容器３の内部に遮水シート５を敷設する。
【００２２】
続いて、敷設された遮水シート５の上面に土のう袋に袋詰めされた汚染廃棄物２を配置し、汚染廃棄物２の配置が完了したら、遮水シート５により、汚染廃棄物２の側面と上面を覆う。
そして、コンクリート容器３に蓋３３をすることで、施工が完了する。
【００２３】
本実施形態の汚染廃棄物保管容器１によれば、汚染廃棄物２を長期間保管する場合であっても、安全性が確保されている。
つまり、遮水層４の一部が通気性遮水シート５１により構成されているため、汚染廃棄物２から発生したメタンガスを排気することが可能に構成されている。そのため、遮水層４の内部にメタンガスが充満することがなく、遮水層４内でメタンガスに引火するおそれがない。
【００２４】
また、汚染廃棄物２は、外周囲が遮水層４により覆われているため、外部から水分（雨水や地下水等）が浸透することがない。また、遮水層４内から水分が流出することもないため、水分の流出とともに汚染物質が流出することもない。
【００２５】
また、汚染廃棄物保管容器１は、汚染廃棄物２をコンクリート容器３により密閉しているため、放射線を遮蔽した状態で、安全に汚染廃棄物２を保管することができる。
【００２６】
コンクリート容器３は、プレキャスト部材を組み合わせることにより構成されているため、短期間で形成することができる。
そのため緊急性を要する場合であっても、汚染廃棄物２を早期に仮置きすることができる。
【００２７】
＜第二の実施形態＞
第二の実施形態に係る汚染廃棄物保管容器１は、図３に示すように、遮水層４（遮水シート５）に開口部５２，５２，…が形成されている点で、開口部５２が形成されていない第一の実施形態に係る汚染廃棄物保管容器１と異なっている。
【００２８】
本実施形態では、遮水層４を形成する遮水シート５として、水の浸透および気体の通気を遮断する材質のものを採用している。なお、遮水シート５を構成する材料は、水分の浸透を防止するものであれば限定されるものではなく、例えば高密度ポリエチレンシート等を使用すればよい。
【００２９】
汚染廃棄物２の側方に配設された遮水シート５は、複数の開口部５２，５２，…が間隔をあけて形成されていて、通気性を備えている。
開口部５２は、遮水層４の上部に形成するものとし、コンクリート容器３内に水分が浸入した場合であっても、遮水層４の内部に水分が開口部５２から流入することがないように構成されている。
【００３０】
なお、本実施形態では、開口部５２を矩形状に形成しているが、開口部５２は例えば遮水シート５に形成されたスリットであってもよく、その形状寸法は限定されるものではない。
また、開口部５２は、汚染廃棄物２の上方に配設された遮水シート５に形成してもよく、開口部５２の配置や数も限定されるものではない。
【００３１】
この他の第二の実施形態に係る汚染廃棄物保管容器１の構成は、第一の実施形態で示した内容と同様なため、詳細な説明は省略する。
【００３２】
本実施形態の汚染廃棄物保管容器１によれば、汚染廃棄物２を長期間保管する場合であっても、安全性が確保されている。
つまり、遮水層４の一部に開口部５２が形成されているため、汚染廃棄物２から発生したメタンガスを排気することが可能に構成されている。そのため、遮水層４の内部にメタンガスが充満することがなく、遮水層４内でメタンガスに引火するおそれがない。
【００３３】
また、開口部５２を遮水層４の側面に形成しているので、コンクリート容器３の蓋３３の隙間から水分が浸透して汚染廃棄物２の上方から落下した場合であっても、汚染廃棄物２に浸透することを防止することができる。
【００３４】
この他の第二の実施形態に係る汚染廃棄物保管容器１の作用効果は、第一の実施形態で示した内容と同様なため、詳細な説明は省略する。
【００３５】
＜第三の実施形態＞
第三の実施形態に係る汚染廃棄物保管容器１は、図４に示すように、上面に配設された遮水シート５を密着することなく配設している点で、遮水シート５（遮水層４）により汚染廃棄物２を密封する第一の実施形態に係る汚染廃棄物保管容器１と異なっている。
【００３６】
本実施形態では、遮水層４を形成する遮水シート５として、水の浸透および気体の通気を遮断する材質のものを採用している。なお、遮水シート５を構成する材料は、水分の浸透を防止するものであれば限定されるものではなく、例えば高密度ポリエチレンシート等を使用すればよい。
【００３７】
汚染廃棄物２の上面に配設された上面遮水シート５３は、汚染廃棄物２の側方に配設された側方遮水シート５４とは密着（接着あるいや溶着）されていない。つまり、上面遮水シート５３は、汚染廃棄物２を密封することなく、汚染廃棄物２に上載されている。
【００３８】
この他の第三の実施形態に係る汚染廃棄物保管容器１の構成は、第一の実施形態で示した内容と同様なため、詳細な説明は省略する。
【００３９】
本実施形態の汚染廃棄物保管容器１によれば、汚染廃棄物２を長期間保管する場合であっても、安全性が確保されている。
つまり、上面遮水シート５３が他の遮水シート（側方遮水シート５４）と密着されていないため、汚染廃棄物２からメタンガスが発生した場合であっても、上面遮水シート５３と汚染廃棄物２または側方遮水シート５４との隙間（排気路）からメタンガスを排気することが可能となる。そのため、遮水層４の内部にメタンガスが充満することがなく、遮水層４内でメタンガスに引火するおそれがない。
【００４０】
この他の第二の実施形態に係る汚染廃棄物保管容器１の作用効果は、第一の実施形態で示した内容と同様なため、詳細な説明は省略する。
【００４１】
＜第四の実施形態＞
第四の実施形態に係る汚染廃棄物保管容器１は、図５に示すように、排気管６が配管されている点で、第一の実施形態に係る汚染廃棄物保管容器１と異なっている。
【００４２】
本実施形態では、遮水層４を形成する遮水シート５として、水の浸透および気体の通気を遮断する材質のものを採用している。なお、遮水シート５を構成する材料は、水分の浸透を防止するものであれば限定されるものではなく、例えば高密度ポリエチレンシート等を使用すればよい。
【００４３】
排気管６は、遮水層４の上面を貫通しているとともに、コンクリート容器３の蓋３３を貫通している。
なお、排気管６は、遮水層４の側面を貫通していてもよいし、コンクリート容器３の側壁３２を貫通していてもよい。排気管６の本数や内径等は適宜設定する。
【００４４】
排気管６には、複数の折れ点が形成されており、その先端は下向きとなっている。
こうすることで、排気管６を介して遮水層４の内部に雨水等が流入することが防止されている。また、複数の折れ点を有していることで、放射性物質の流出や放射線が外部に洩れ出すことを防止する。なお、排気管６には、必要に応じてフィルターを設置する。
【００４５】
この他の第四の実施形態に係る汚染廃棄物保管容器１の構成は、第一の実施形態で示した内容と同様なため、詳細な説明は省略する。
【００４６】
本実施形態の汚染廃棄物保管容器１によれば、汚染廃棄物２を長期間保管する場合であっても、安全性が確保されている。
つまり、排気管６が遮水層４を貫通して配管されているため、汚染廃棄物２から発生したメタンガスを外部に排気することが可能に構成されている。そのため、遮水層４の内部にメタンガスが充満することがなく、遮水層４内でメタンガスに引火するおそれがない。
【００４７】
この他の第四の実施形態に係る汚染廃棄物保管容器１の作用効果は、第一の実施形態で示した内容と同様なため、詳細な説明は省略する。
【００４８】
以上、本考案に係る実施の形態について説明した。しかし、本考案は、前述の実施形態に限られず、前記の各構成要素については、本考案の趣旨を逸脱しない範囲で、適宜変更が可能である。
【００４９】
前記実施形態では、汚染廃棄物の上面、側面および下面を遮水シートにより覆うことで遮水層を形成したが、遮水層は、コンクリート容器の内部において、汚染廃棄物の側面および下面を覆うように形成されていてもよい。つまり、コンクリート容器の内部において汚染廃棄物の上面が開口するように遮水層を形成してもよい。このように遮水層の上面が開口していれば、遮水層の内部にメタンガスが充満することはない。
なお、この場合には、コンクリート容器の上面に遮水シートを配設することで雨水等の浸透を防止するのが望ましい。
【００５０】
汚染廃棄物保管容器は、複数の通気構造を併用して構成されていてもよい。
【符号の説明】
【００５１】
１    汚染廃棄物保管容器
２    汚染廃棄物
３    コンクリート容器
４    遮水層
５    遮水シート
５１  通気性遮水シート（通気構造）
５２  開口部（通気構造）
５３  上面遮水シート
６    排気管（通気構造）
【図１】
0003175667.tif 000003
【図２】
0003175667.tif 000004
【図３】
0003175667.tif 000005
【図４】
0003175667.tif 000006
【図５】
0003175667.tif 000007